(57)【要約】【課題】手間と時間とを要せずに野縁受けと野縁との連結を短時間で効率よく解除することができる連結解除具を提供する。【解決手段】連結解除具１０Ａは、長尺の操作ロッド１１と、操作ロッド１１の上端部１２から幅方向へ延出する案内棒１３と、案内棒１３から上方へ所定寸法離間して操作ロッド１１の上端部１２から幅方向へ延出する梃子ヘッド１４とから形成されている。梃子ヘッド１４は、上下方向へ延びる第１プレート２４と、前後方向へ延びる第２プレート２５と、第２プレート２５から前方へ延出する一対の支持棒２６ａ，２６ｂとから形成されている。連結解除具１０Ａでは、支持棒２６ａ，２６ｂが野縁受けを上方へ持ち上げて野縁受けと野縁とを上下方向へ離間させ、野縁受けの上フランジと連結クリップの第１フックとの係合が解除される。【選択図】図１
2017048619.tif 000002
【特許請求の範囲】
【請求項１】
野縁受けと前記野縁受けの直下に重なる野縁とに係合して該野縁受けと該野縁とを連結する連結クリップの係合を解除し、前記野縁受けと前記野縁との連結を解除する連結解除具において、
前記連結解除具が、上下方向へ延びる長尺の操作ロッドと、前記操作ロッドの上端部から前記上下方向と交差する幅方向へ延出する案内棒と、前記案内棒から上方へ所定寸法離間して前記操作ロッドの上端部から前記幅方向へ延出する梃子ヘッドとから形成され、前記梃子ヘッドが、前記操作ロッドに並行して上下方向へ延びる第１プレートと、前記第１プレートに直交して前後方向へ延びる第２プレートと、前記第２プレートの直下に位置して前記幅方向へ離間対向し、該第２プレートから前方へ延出する一対の支持棒とから形成され、
前記案内棒と前記梃子ヘッドの第１プレートとの間には、前記野縁を出入可能に進入させる第１スペースが画成され、それら支持棒の間には、前記野縁受けと前記野縁との連結箇所を位置させる第２スペースが画成されていることを特徴とする連結解除具。
【請求項２】
前記連結クリップが、前記野縁受けのウェブに並行する接続部と、前記接続部の上方に位置して前記野縁受けの上フランジに係合する第１フックと、前記接続部の下方に位置して前記野縁の係合リップに係合する一対の第２フックとを有し、前記連結解除具では、前記野縁を前記第１スペースに進入させ、前記連結クリップの接続部の側から前記連結箇所を前記第２スペースに位置させて、前記第１プレートの下端部が前記野縁の係合リップに当接し、前記第２プレートの前端部が前記連結クリップの接続部に当接し、前記支持棒の前記第２プレートの前端部から前方へ延出する先端部が前記野縁受けの下フランジの直下に位置するとともに、前記操作ロッドの下端部が前記連結箇所の斜め下方に位置した状態で、該操作ロッドの下端部を前記野縁受けに向かって旋回させると、前記支持棒の先端部が前記野縁受けの下フランジに当接しつつ該野縁受けを上方へ持ち上げて該野縁受けと前記野縁とを上下方向へ離間させ、それによって前記野縁受けの上フランジと前記連結クリップの第１フックとの係合が解除され、または、前記野縁の係合リップと前記連結クリップの第２フックとの係合が解除される請求項１に記載の連結解除具。
【請求項３】
前記連結クリップが、前記野縁受けのウェブに並行する接続部と、前記接続部の上方に位置して前記野縁受けの上フランジに係合する第１フックと、前記接続部の下方に位置して前記野縁の係合リップに係合する一対の第２フックとを有し、前記連結解除具では、前記野縁を前記第１スペースに進入させ、前記野縁受けのフランジの側から前記連結箇所を前記第２スペースに位置させて、前記第１プレートの下端部が前記野縁の係合リップに当接し、前記第２プレートの前端部が前記野縁受けの下フランジに当接し、前記支持棒の前記第２プレートの前端部から前方へ延出する先端部が前記野縁受けの下フランジの直下に位置するとともに、前記操作ロッドの下端部が前記連結箇所の斜め下方に位置した状態で、該操作ロッドの下端部を前記野縁受けに向かって旋回させると、前記支持棒の先端部が前記野縁受けの下フランジに当接しつつ該野縁受けを上方へ持ち上げて該野縁受けと前記野縁とを上下方向へ離間させ、それによって前記野縁受けの上フランジと前記連結クリップの第１フックとの係合が解除され、または、前記野縁の係合リップと前記連結クリップの第２フックとの係合が解除される請求項１に記載の連結解除具。
【請求項４】
前記連結解除具では、前記操作ロッドの下端部が力点になり、前記第１プレートの下端部が支点になり、前記支持棒の先端部が作用点になる請求項２または請求項３に記載の連結解除具。
【請求項５】
それら支持棒が、前記第２プレートに着脱可能に取り付けられ、前記連結解除具では、前記第２プレートに対するそれら支持棒の取付位置を変更することでそれら支持棒の前記幅方向の離間寸法を変更可能である請求項１ないし請求項４いずれかに記載の連結解除具。
【請求項６】
前記第２プレートには、前記前後方向へ延びていてそれら支持棒を案内する案内凸部と案内凹部とのいずれか一方が形成され、それら支持棒には、前記前後方向へ延びていて前記第２プレートに形成された案内凸部に係入する係入凹部と該第２プレートに形成された案内凹部に係入する係入凸部とのうちのいずれか他方が形成されている請求項５に記載の連結解除具。
【請求項７】
それら支持棒の前記第２プレートの前端部から前方へ露出する先端部が、該第２プレートの前端部から前方へ向かうにつれて上り勾配に傾斜している請求項１ないし請求項６いずれかに記載の連結解除具。
【請求項８】
それら支持棒の前記第２プレートの前端部から前方へ露出する先端部が、該第２プレートの前端部から前方へ向かうにつれて先細りの扁平に成形されている請求項１ないし請求項７いずれかに記載の連結解除具。
【請求項９】
前記案内棒の前記操作ロッドから幅方向へ離間する先端部が、前記操作ロッドから幅方向側方へ向かうにつれて上り勾配に傾斜している請求項１ないし請求項８いずれかに記載の連結解除具。
【請求項１０】
前記操作ロッドが、その上下方向の長さ寸法を調節可能である請求項１ないし請求項９いずれかに記載の連結解除具。
【請求項１１】
前記第１プレートの下端部が、下方へ向かって凸となるように弧を描き、前記第２プレートの前端部が、前方へ向かって凸となるように弧を描いている請求項１ないし請求項１０いずれかに記載の連結解除具。
【発明の詳細な説明】
【技術分野】
【０００１】
本発明は、野縁受けと野縁とに係合して野縁受けと野縁とを連結する連結クリップの係合を解除し、野縁と野縁受けとの連結を解除する連結解除具に関する。
【背景技術】
【０００２】
細長い矩形かつ平板状に形成された本体部と、平板状に形成されて本体部の幅方向の一方の側の縁の一部から所定寸法だけ突出する第１の突出部と、平板状に形成されて第１の突出部と直交する方向に第１の突出部の先端から所定寸法だけ突出する第２の突出部とを有し、所定の幅を備えた細長い矩形な平板状の素材を切断して折り曲げることで一体成形された野縁受けが開示されている（特許文献１参照）。
【０００３】
特許文献１に開示の野縁受けでは、第１の突出部と第２の突出部とが設けられていない部位において、連結クリップを利用して野縁が連結されている。前後方向へ略等間隔離間して並ぶ複数の野縁受けの直下に幅方向へ略等間隔離間して並ぶ複数の野縁が位置し、野縁受けに対して野縁が略直交した状態で連結クリップの第１フックが野縁受けの上フランジに係合し、連結クリップの第２フックが野縁の係合リップに係合することで、野縁受けに野縁が連結される。
【先行技術文献】
【特許文献】
【０００４】
【特許文献１】特開２０１３−３２６４４号公報
【発明の概要】
【発明が解決しようとする課題】
【０００５】
天井の補修工事や解体工事を行う場合、野縁受けと野縁との連結を解除する必要があるが、従来の天井の補修工事や解体工事では、脚立に乗った解体工が天井板を外した後、素手やバール等によって野縁受けと野縁とを上下方向へ力任せに離間させ（引き離し）、野縁受けや野縁を変形させながら野縁受けと第１フックとの係合や野縁の係合リップと第２フックとの係合を無理矢理に解除していた。
【０００６】
従来の補修工事や解体工事における解除作業では、解体工が脚立を所定の位置に移動させつつ、脚立への乗り降りを繰り返しながら、野縁受けと野縁との連結を解除することになり、床に位置した状態で野縁受けと野縁との連結を解除することができず、野縁受けと野縁との連結の解除に大きな労力が必要となり、野縁受けと野縁との連結の解除に手間と時間とがかかっていた。また、従来の解除作業で野縁受けと野縁との連結を解除すると、野縁受けや野縁が不規則に変形し、野縁受けや野縁が原形を留めず、野縁受けや野縁を再利用することができなかった。さらに、野縁受けや野縁を廃棄物として処理する際に、変形した野縁受けや野縁が嵩張り、複数の野縁受けや野縁をまとめて梱包することが難しく、廃棄処理に手間と時間とを要していた。
【０００７】
本発明の目的は、野縁受けと野縁との連結の解除に労力を必要とせず、手間と時間とを要せずに野縁受けと野縁との連結を短時間で効率よく解除することができる連結解除具を提供することにある。本発明の他の目的は、野縁受けや野縁を不規則に変形させることなく野縁受けと野縁との連結を解除することができ、連結が解除された野縁受けや野縁の再利用を可能にする連結解除具を提供することにある。本発明の他の目的は、連結が解除された野縁受けや野縁を廃棄処理する際に野縁受けや野縁を容易に梱包することができ、手間と時間とを要せずに廃棄処理を可能にする連結解除具を提供することにある。
【課題を解決するための手段】
【０００８】
前記課題を解決するための本発明の前提は、野縁受けと前記野縁受けの直下に重なる野縁とに係合して該野縁受けと該野縁とを連結する連結クリップの係合を解除し、前記野縁受けと前記野縁との連結を解除する連結解除具である。
【０００９】
前記前提における本発明の特徴は、連結解除具が、上下方向へ延びる長尺の操作ロッドと、操作ロッドの上端部から上下方向と交差する幅方向へ延出する案内棒と、案内棒から上方へ所定寸法離間して操作ロッドの上端部から幅方向へ延出する梃子ヘッドとから形成され、梃子ヘッドが、操作ロッドに並行して上下方向へ延びる第１プレートと、第１プレートに直交して前後方向へ延びる第２プレートと、第２プレートの直下に位置して幅方向へ離間対向し、第２プレートから前方へ延出する一対の支持棒とから形成され、案内棒と梃子ヘッドの第１プレートとの間には、野縁を出入可能に進入させる第１スペースが画成され、それら支持棒の間には、野縁受けと野縁との連結箇所を位置させる第２スペースが画成されていることにある。
【００１０】
本発明の一例としては、連結クリップが、野縁受けのウェブに並行する接続部と、接続部の上方に位置して野縁受けの上フランジに係合する第１フックと、接続部の下方に位置して野縁の係合リップに係合する一対の第２フックとを有し、連結解除具では、野縁を第１スペースに進入させ、連結クリップの接続部の側から連結箇所を第２スペースに位置させて、第１プレートの下端部が野縁の係合リップに当接し、第２プレートの前端部が連結クリップの接続部に当接し、支持棒の第２プレートの前端部から前方へ延出する先端部が野縁受けの下フランジの直下に位置するとともに、操作ロッドの下端部が連結箇所の斜め下方に位置した状態で、操作ロッドの下端部を野縁受けに向かって旋回させると、支持棒の先端部が野縁受けの下フランジに当接しつつ野縁受けを上方へ持ち上げて野縁受けと野縁とを上下方向へ離間させ、それによって野縁受けの上フランジと連結クリップの第１フックとの係合が解除され、または、野縁の係合リップと連結クリップの第２フックとの係合が解除される。
【００１１】
本発明の他の一例としては、連結クリップが、野縁受けのウェブに並行する接続部と、接続部の上方に位置して野縁受けの上フランジに係合する第１フックと、接続部の下方に位置して野縁の係合リップに係合する一対の第２フックとを有し、連結解除具では、野縁を第１スペースに進入させ、野縁受けのフランジの側から連結箇所を第２スペースに位置させて、第１プレートの下端部が野縁の係合リップに当接し、第２プレートの前端部が野縁受けの下フランジに当接し、支持棒の前記第２プレートの前端部から前方へ延出する先端部が野縁受けの下フランジの直下に位置するとともに、操作ロッドの下端部が連結箇所の斜め下方に位置した状態で、操作ロッドの下端部を野縁受けに向かって旋回させると、支持棒の先端部が野縁受けの下フランジに当接しつつ野縁受けを上方へ持ち上げて野縁受けと野縁とを上下方向へ離間させ、それによって野縁受けの上フランジと連結クリップの第１フックとの係合が解除され、または、野縁の係合リップと連結クリップの第２フックとの係合が解除される。
【００１２】
本発明の他の一例として、連結解除具では、操作ロッドの下端部が力点になり、第１プレートの下端部が支点になり、支持棒の先端部が作用点になる。
【００１３】
本発明の他の一例としては、それら支持棒が第２プレートに着脱可能に取り付けられ、連結解除具では、第２プレートに対するそれら支持棒の取付位置を変更することでそれら支持棒の幅方向の離間寸法を変更可能である。
【００１４】
本発明の他の一例として、第２プレートには、前後方向へ延びていてそれら支持棒を案内する案内凸部と案内凹部とのいずれか一方が形成され、それら支持棒には、前後方向へ延びていて第２プレートに形成された案内凸部に係入する係入凹部と第２プレートに形成された案内凹部に係入する係入凸部とのうちのいずれか他方が形成されている。
【００１５】
本発明の他の一例としては、それら支持棒の第２プレートの前端部から前方へ露出する先端部が第２プレートの前端部から前方へ向かうにつれて上り勾配に傾斜している。
【００１６】
本発明の他の一例としては、それら支持棒の第２プレートの前端部から前方へ露出する先端部が第２プレートの前端部から前方へ向かうにつれて先細りの扁平に成形されている。
【００１７】
本発明の他の一例としては、案内棒の操作ロッドから幅方向へ離間する先端部が操作ロッドから幅方向側方へ向かうにつれて上り勾配に傾斜している。
【００１８】
本発明の他の一例としては、操作ロッドがその上下方向の長さ寸法を調節可能である。
【００１９】
本発明の他の一例としては、第１プレートの下端部が下方へ向かって凸となるように弧を描き、第２プレートの前端部が前方へ向かって凸となるように弧を描いている。
【発明の効果】
【００２０】
本発明にかかる連結解除具によれば、床に起立（位置）した作業者が操作ロッドの下端部を把持し、操作ロッドの上端部に位置する梃子ヘッドを野縁受けと野縁との連結箇所に移動させ、案内棒と梃子ヘッドの第１プレートとの間の第１スペースに野縁を進入させ、それら支持棒の間の第２スペースに野縁受けと野縁との連結箇所を位置させ、第１プレートの下端部が野縁に当接し、支持棒の先端部が野縁受けの下フランジの直下に位置した状態で、操作ロッドの下端部を野縁受けに向かって旋回させると、支持棒の先端部が野縁受けを上方へ持ち上げて野縁受けと野縁とを上下方向へ離間させ、それによって野縁受けや野縁と連結クリップとの係合が解除されるから、脚立を使用することなく作業者が床に起立（位置）した状態で手が届かない天井の野縁受けと野縁との連結を容易に解除することができる。連結解除具は、野縁受けと野縁との連結を解除する際に作業者が脚立の移動や脚立への乗り降りを繰り返す必要はなく、床に位置する作業者が梃子の原理を利用してわずかな力で野縁受けと野縁との連結を解除することができ、野縁受けと野縁との連結の解除に労力を必要とせず、手間と時間とを要せずに野縁受けと野縁との連結を短時間で効率よく解除することができる。連結解除具は、野縁受けと野縁とを上下方向へわずかに離間させることで、野縁受けや野縁と連結クリップとの係合が解除され、野縁受けと野縁との連結が解除されるから、野縁受けや野縁を変形させることなく野縁受けと野縁との連結を解除することができ、連結が解除された野縁受けや野縁が原形を留め、連結が解除された野縁受けや野縁の再利用を可能にすることができる。連結解除具は、連結が解除された野縁受けや野縁が原形を留めるから、野縁受けや野縁を廃棄処分する際にそれらが嵩張ることはなく、それらを容易に梱包することができ、手間と時間とを要せずに野縁受けや野縁の廃棄処理を可能にすることができる。
【００２１】
野縁を第１スペースに進入させ、連結クリップの接続部の側から連結箇所を第２スペースに位置させて、第１プレートの下端部が野縁の係合リップに当接し、第２プレートの前端部が連結クリップの接続部に当接し、支持棒の第２プレートの前端部から前方へ延出する先端部が野縁受けの下フランジの直下に位置するとともに、操作ロッドの下端部が連結箇所の斜め下方に位置した状態で、操作ロッドの下端部を野縁受けに向かって旋回させると、支持棒の先端部が野縁受けの下フランジに当接しつつ野縁受けを上方へ持ち上げて野縁受けと野縁とを上下方向へ離間させ、それによって野縁受けの上フランジと連結クリップの第１フックとの係合が解除され、または、野縁の係合リップと連結クリップの第２フックとの係合が解除される連結解除具は、作業者が床に起立（位置）した状態で操作ロッドの下端部を野縁受けに向かって旋回させることで、支持棒の先端部が野縁受けを上方へ持ち上げ、それによって野縁受けと野縁とが上下方向へ離間し、野縁受けの上フランジと連結クリップの第１フックとの係合が解除され、または、野縁の係合リップと連結クリップの第２フックとの係合が解除されるから、脚立を使用することなく作業者が床に起立（位置）した状態で手が届かない天井の野縁受けと野縁との連結を容易に解除することができる。連結解除具は、野縁受けと野縁との連結を解除する際に作業者が脚立の移動や脚立への乗り降りを繰り返す必要はなく、床に起立（位置）する作業者が梃子の原理を利用してわずかな力で野縁受けと野縁との連結を解除することができ、野縁受けと野縁との連結の解除に労力を必要とせず、手間と時間とを要せずに野縁受けと野縁との連結を短時間で効率よく解除することができる。
【００２２】
野縁を前記第１スペースに進入させ、野縁受けのフランジの側から連結箇所を第２スペースに位置させて、第１プレートの下端部が野縁の係合リップに当接し、第２プレートの前端部が野縁受けの下フランジに当接し、支持棒の第２プレートの前端部から前方へ延出する先端部が野縁受けの下フランジの直下に位置するとともに、操作ロッドの下端部が連結箇所の斜め下方に位置した状態で、操作ロッドの下端部を野縁受けに向かって旋回させると、支持棒の先端部が野縁受けの下フランジに当接しつつ野縁受けを上方へ持ち上げて野縁受けと野縁とを上下方向へ離間させ、それによって野縁受けの上フランジと連結クリップの第１フックとの係合が解除され、または、野縁の係合リップと連結クリップの第２フックとの係合が解除される連結解除具は、作業者が床に起立（位置）した状態で操作ロッドの下端部を野縁受けに向かって旋回させることで、支持棒の先端部が野縁受けを上方へ持ち上げ、それによって野縁受けと野縁とが上下方向へ離間し、野縁受けの上フランジと連結クリップの第１フックとの係合が解除され、または、野縁の係合リップと連結クリップの第２フックとの係合が解除されるから、脚立を使用することなく作業者が床に起立（位置）した状態で手が届かない天井の野縁受けと野縁との連結を容易に解除することができる。連結解除具は、野縁受けと野縁との連結を解除する際に作業者が脚立の移動や脚立への乗り降りを繰り返す必要はなく、床に起立（位置）する作業者が梃子の原理を利用してわずかな力で野縁受けと野縁との連結を解除することができ、野縁受けと野縁との連結の解除に労力を必要とせず、手間と時間とを要せずに野縁受けと野縁との連結を短時間で効率よく解除することができる。
【００２３】
操作ロッドの下端部が力点になり、第１プレートの下端部が支点になり、支持棒の先端部が作用点になる連結解除具は、力点となる操作ロッドの下端部を把持しつつ操作ロッドの下端部を野縁受けに向かって旋回させることで、作用点となる支持棒の先端部に大きな力が作用し、第１プレートの下端部を旋回中心として支持棒の先端部が旋回して支持棒の先端部が野縁受けを上方へ持ち上げるから、操作ロッドの下端部をわずかな力で旋回させるだけで野縁受けと野縁とが上下方向へ離間し、梃子の原理を利用してわずかな力で野縁受けの上フランジと連結クリップの第１フックとの係合を解除し、または、野縁の係合リップと連結クリップの第２フックとの係合を解除することができ、わずかな力で野縁受けと野縁との連結を解除することができる。
【００２４】
それら支持棒が第２プレートに着脱可能に取り付けられ、第２プレートに対するそれら支持棒の取付位置を変更することでそれら支持棒の幅方向の離間寸法を変更可能である連結解除具は、野縁受けや野縁、連結クリップが規格化されてそれらの幅寸法が決まっているが、幅寸法が大きい野縁受けや野縁、連結クリップと幅寸法が小さい野縁受けや野縁、連結クリップとが存在し、第２プレートに対するそれら支持棒の取付位置を変更してそれら支持棒の幅方向の離間寸法を大きくすることで、野縁受けと幅寸法の大きな野縁との連結箇所を第２スペースに位置させることができ、第２プレートに対するそれら支持棒の取付位置を変更してそれら支持棒の幅方向の離間寸法を小さくすることで、野縁受けと幅寸法の小さな野縁との連結箇所を第２スペースに位置させることができる。連結解除具は、幅寸法の大きな野縁や連結クリップに対応することができるとともに、幅寸法の小さな野縁や連結クリップに対応することができ、野縁や連結クリップの幅寸法の大小にかかわらず、野縁受けと野縁との連結を解除することができる。
【００２５】
前後方向へ延びていてそれら支持棒を案内する案内凸部と案内凹部とのいずれか一方が第２プレートに形成され、前後方向へ延びていて第２プレートに形成された案内凸部に係入する係入凹部と第２プレートに形成された案内凹部に係入する係入凸部とのうちのいずれか他方がそれら支持棒に形成されている連結解除具は、案内凸部に係入凹部を係入させ、または、案内凹部に係入凸部を係入させることで、それら支持棒が第２プレートの適正な位置に正確に取り付けられるから、それら支持棒の幅方向の離間寸法が狂うことはなく、幅寸法の大きな野縁や連結クリップに対応することができるとともに、幅寸法の小さな野縁や連結クリップに対応することができ、野縁や連結クリップの幅寸法の大小にかかわらず、野縁受けと野縁との連結を解除することができる。
【００２６】
それら支持棒の第２プレートの前端部から前方へ露出する先端部が第２プレートの前端部から前方へ向かうにつれて上り勾配に傾斜している連結解除具は、野縁を第１スペースに進入させ、野縁受けと野縁との連結箇所を第２スペースに位置させたときに、支持棒の上り勾配に傾斜する先端部が野縁受けの下フランジの直下に位置し、その状態で操作ロッドの下端部を野縁受けに向かってわずかに旋回させるだけで、支持棒の先端部が旋回して支持棒の先端部が野縁受けを上方へ確実に持ち上げるから、野縁受けと野縁との連結を容易に解除することができる。
【００２７】
それら支持棒の第２プレートの前端部から前方へ露出する先端部が第２プレートの前端部から前方へ向かうにつれて先細りの扁平に成形されている連結解除具は、野縁を第１スペースに進入させ、野縁受けと野縁との連結箇所を第２スペースに位置させたときに、支持棒の先細りの扁平に成形された先端部を野縁受けの下フランジの直下に確実に位置させることができ、その状態で操作ロッドの下端部を野縁受けに向かってわずかに旋回させることで、支持棒の先端部が旋回して支持棒の先端部が野縁受けを上方へ確実に持ち上げるから、野縁受けと野縁との連結を容易に解除することができる。
【００２８】
案内棒の操作ロッドから幅方向へ離間する先端部が操作ロッドから幅方向側方へ向かうにつれて上り勾配に傾斜している連結解除具は、案内棒の先端部が上り勾配に傾斜することで、案内棒の先端部が第１スペースに野縁を進入させるときの目印となり、野縁を第１スペースに容易に進入させることができ、梃子ヘッドを野縁受けと野縁との連結箇所に容易に位置させることができる。連結解除具は、案内棒の先端部が上り勾配に傾斜することで、第１スペースに野縁を進入させたときに、案内棒の先端部によって野縁が第１スペースから外れ難くなり、連結解除具を利用して野縁受けと野縁との連結を確実に解除することができる。
【００２９】
操作ロッドがその上下方向の長さ寸法を調節可能である連結解除具は、操作ロッドの上下方向の長さ寸法を長くすることで、高い天井の野縁受けと野縁との連結箇所に梃子ヘッドを位置させることができ、操作ロッドの上下方向の長さ寸法を短くすることで、低い天井の野縁受けと野縁との連結箇所に梃子ヘッドを位置させることができ、天井の高低にかかわらず、作業者が床に起立（位置）した状態で手が届かない天井の野縁受けと野縁との連結を容易に解除することができる。
【００３０】
第１プレートの下端部が下方へ向かって凸となるように弧を描き、第２プレートの前端部が前方へ向かって凸となるように弧を描いている連結解除具は、操作ロッドの下端部を野縁受けに向かって旋回させたときに、野縁の係合リップに当接する第１プレートの下端部が旋回するとともに、連結クリップの接続部や野縁受けの下フランジに当接する第２プレートの前端部が旋回するが、第１プレートの下端部が下方へ向かって凸となるように弧を描き、第２プレートの前端部が前方へ向かって凸となるように弧を描いているから、旋回する第１プレートの下端部が野縁の係合リップを傷つけることはなく、旋回する第２プレートの前端部が野縁受けのウェブや野縁受けの下フランジを傷つけることはない。連結解除具は、それを利用して野縁受けと野縁との連結を解除するときに、第１プレートや第２プレートが野縁受けや野縁を変形させることがないから、連結が解除された野縁受けや野縁が原形を留め、連結が解除された野縁受けや野縁の再利用を可能にすることができる。
【図面の簡単な説明】
【００３１】
【図１】一例として示す連結解除具の斜視図。
【図２】操作ロッドの上端部の拡大斜視図。
【図３】操作ロッドの上端部の拡大側面図。
【図４】一例として示す連結クリップによって連結された野縁受けと野縁との連結箇所の拡大斜視図。
【図５】図１の連結解除具による野縁受けと野縁との連結解除の手順の一例を示す説明図。
【図６】図５から続く連結解除の手順の一例を示す説明図。
【図７】図１の連結解除具による野縁受けと野縁との連結解除の手順の他の一例を示す説明図。
【図８】図７から続く連結解除の手順の他の一例を示す説明図。
【図９】他の一例として示す操作ロッドの上端部の拡大斜視図。
【図１０】図９の連結解除具のＩ−Ｉ線矢視断面図。
【図１１】他の一例として示す連結クリップによって連結された野縁受けと野縁との連結箇所の拡大斜視図。
【図１２】支持棒の取付位置を変更した連結解除具の上端部の拡大斜視図。
【図１３】図１２の連結解除具による野縁受けと野縁との連結解除の手順の一例を示す説明図。
【図１４】図１３から続く連結解除の手順の一例を示す説明図。
【図１５】図１２の連結解除具による野縁受けと野縁との連結解除の手順の他の一例を示す説明図。
【図１６】図１５から続く連結解除の手順の他の一例を示す説明図。
【図１７】他の一例として示す操作ロッドの上端部の拡大斜視図。
【図１８】図１７の連結解除具のII−II線矢視断面図。
【図１９】支持棒の取付位置を変更した操作ロッドの上端部の拡大斜視図。
【発明を実施するための形態】
【００３２】
一例として示す連結解除具１０Ａの斜視図である図１等の添付の図面を参照し、本発明にかかる連結解除具の詳細を説明すると、以下のとおりである。なお、図２は、操作ロッド１１の上端部１２の拡大斜視図であり、図３は、操作ロッド１１の上端部１２の拡大側面図である。図４は、一例として示す連結クリップ４３ａによって連結された野縁受け３２と野縁３３との連結箇所４２の拡大斜視図である。
【００３３】
図１，２では、上下方向を矢印Ａで示し、幅方向を矢印Ｂで示すとともに、前後方向を矢印Ｃで示す。図４では、野縁３３の下に設置される天井板の図示を省略している。図４では、１本の野縁受け３２と１本の野縁３３とを図示しているが、実際の天井には複数本の野縁受け３２と複数本の野縁３３とが格子を形成するように配置され、各野縁受け３２と各野縁３３との各交差箇所において野縁受け３２と野縁３３とが連結クリップ４３ａによって連結されている。
【００３４】
連結解除具１０Ａは、天井の補修工事や解体工事を行う場合に作業者（人）の手が届かない位置に存在する野縁受け３２と野縁３３との連結の解除に好適に使用される。連結解除具１０Ａは、野縁受け３２と野縁３３とを連結する連結クリップ４３ａの野縁受け３２や野縁３３に対する係合を解除し、野縁受け３２と野縁３３との連結を解除する。連結解除具１０Ａは、上下方向へ延びる長尺の操作ロッド１１と、操作ロッド１１の上端部１２から上下方向と交差する幅方向へ延出する案内棒１３（案内軸）と、案内棒１３から上方へ所定寸法離間して操作ロッド１１の上端部１２から幅方向へ延出する梃子ヘッド１４とから形成されている。
【００３５】
操作ロッド１１は、アルミニウムやアルカリ金属等の軽金属、または、ステンレス鋼やスチール鋼等の金属から作られ、円柱状に成形された長尺の円柱ロッド１５と、角柱状に成形された長尺の角柱ロッド１６とから形成されている。円柱ロッド１５は、補修工事や解体工事における解除作業を行う作業者が手で把持する柄部１７と、柄部１７から上方へ延びる伸縮部１８とを有する。伸縮部１８は、上方に位置する第１円柱ロッド１９ａ（円柱棒または円柱パイプ）と、第１円柱ロッド１９ａの下方につながる第２円柱ロッド１９ｂ（円柱パイプ）とから形成され、上下方向の長さ寸法を調節することができる。なお、伸縮部１８が３本以上の円柱ロッドから形成されていてもよく、伸縮部１８が２本以上の角柱ロッドから形成されていてもよい。また、操作ロッド１１が伸縮不能であって操作ロッド１１が角柱ロッド１６のみから作られていてもよい。この場合、角柱ロッド１６の下端部が柄部になる。
【００３６】
第１円柱ロッド１９ａは、その直径が第２円柱ロッド１９ｂのそれよりも小さく、第２円柱ロッド１９ｂの内部（内側）に摺動可能に収容される。伸縮部１８では、第１円柱ロッド１９ａが第２円柱ロッド１９ｂの先端部から軸方向前方へ延出し、第２円柱ロッド１９ｂの先端部から上下方向上方へ進出し、または、第２円柱ロッド１９ｂの先端部から上下方向下方へ後退する。伸縮部１８では、上方に位置する第１円柱ロッド１９ａがその下方に位置する第２円柱ロッド１９ｂの内部に摺動可能に収容される（後退する）ことで、その長さ寸法を短くすることができ、第１円柱ロッド１９ａを第２円柱ロッド１９ｂの内部から露出させる（進出する）ことで、その長さ寸法を長くすることができる。
【００３７】
第２円柱ロッド１９ｂの先端部には、第１円柱ロッド１９ａを伸縮不能（摺動不能）に固定するストッパー２０（ロック機構）が取り付けられている。ストッパー２０は、公知の突っ張り棒や伸縮棒に使用されているそれが利用されている。ストッパー２０を利用したロック状態（ストッパー２０を時計回り方向へ回転させた状態）では、第１円柱ロッド１９ａがストッパー２０を介して第２円柱ロッド１９ｂに固定され、第１円柱ロッド１９ａが第２円柱ロッド１９ｂに対して伸縮不能状態（摺動不能状態）になる。ストッパー２０のロック解除状態（ロック状態からストッパー２０を反時計回り方向へ回転させた状態）では、第２円柱ロッド１９ｂに対して第１円柱ロッド１９ａを上下方向へ自由に摺動させることができる。角柱ロッド１６は、第１円柱ロッド１９ａ（伸縮部１８）の先端部から上方へ延びている。角柱ロッド１６は、その下端が第１円柱ロッド１９ａ（伸縮部１８）の先端部に溶接固定されている。
【００３８】
案内棒１３は、角柱ロッド１６の上端部１２（操作ロッド１１の上端部１２）に取り付けられ、上端部１２から幅方向へ延びている。案内棒１３は、アルミニウムやアルカリ金属等の軽金属、または、ステンレス鋼やスチール鋼等の金属から作られ、円柱状に成形されている。案内棒１３は、その直径が７〜１３ｍｍの範囲にある。案内棒１３は、角柱ロッド１６の上端部１２（操作ロッド１１の上端部１２）に溶接固定された基端部２１と、基端部２１から幅方向側方へ延出する延出部２２とを有する。案内棒１３では、延出部２２の先端部分２３（案内棒１３の操作ロッド１１から幅方向へ離間する先端部２３）が角柱ロッド１６（操作ロッド１１）から幅方向側方へ向かうにつれて上方へわずかに折り曲げられ、先端部分２３が上り勾配に傾斜している。
【００３９】
梃子ヘッド１４は、角柱ロッド１６（操作ロッド１１）に並行して上下方向へ延びる所定厚みの第１プレート２４と、第１プレート２４に直交して前後方向へ延びる所定厚みの第２プレート２５と、第１プレート２４から前方へ延出する一対の支持棒２６ａ，２６ｂ（支持軸）とから形成されている。第１プレート２４および第２プレート２５は、アルミニウムやアルカリ金属等の軽金属、または、ステンレス鋼やスチール鋼等の金属から作られ、それらプレート２４，２５がひとつながりになった一体成形品である。第１プレート２４および第２プレート２５は、その厚み寸法が略同一であり、厚み寸法が５〜１０ｍｍの範囲にある。
【００４０】
第１プレート２４は、案内棒１３から上方へ所定寸法離間し、その側縁が角柱ロッド１６の上端部１２（操作ロッド１１の上端部１２）に溶接固定されている。第１プレート２４は、案内棒１３と並行して角柱ロッド１６（操作ロッド１１）の上端部１２から幅方向側方へ延出している。第１プレート２４の下端部２７は、下方へ向かって凸となるように弧（円弧）を描き、下端部２７の角が面取りされている。第１プレート２４の幅方向への延出寸法は、案内棒１３のそれと略同一である。なお、第１プレート２４の下端部２７が弧（円弧）を描いていなくてもよい。
【００４１】
第２プレート２５は、案内棒１３から上方へ所定寸法離間して第１プレート２４の上方に位置し、その側縁が角柱ロッド１６の上端部１２（操作ロッド１１の上端部１２）に溶接固定されている。第２プレート２５は、案内棒１３と並行して角柱ロッド１６（操作ロッド１１）の上端部１２から幅方向側方へ延出するとともに、第１プレート２４と略直角に交差して第１プレート２４から前方へ延出している。第２プレート２５は、その略前半分が角柱ロッド１６（操作ロッド１１）から前方へ露出している。第２プレート２５の前端部２８は、前方へ向かって凸となるように弧（円弧）を描き、前端部２８の角が面取りされている。第２プレート２５の幅方向への延出寸法は、案内棒１３のそれと略同一である。なお、第２プレート２５の前端部２８が弧（円弧）を描いていなくてもよい。
【００４２】
それら支持棒２６ａ，２６ｂは、第２プレート２５の直下に位置して幅方向へ離間対向している。それら支持棒２６ａ，２６ｂの幅方向への離間寸法は、後記する連結クリップ４３ａの接続部４４の幅寸法（野縁３３の幅寸法）よりもわずかに大きい。それら支持棒２６ａ，２６ｂは、アルミニウムやアルカリ金属等の軽金属、または、ステンレス鋼やスチール鋼等の金属から作られ、円柱状に成形されている。支持棒２６ａ，２６ｂは、その直径が７〜１３ｍｍの範囲にある。支持棒２６ａ，２６ｂは、第１プレート２４に当接する基端縁と、第２プレート２５に当接しつつ第２プレート２５に溶接固定された後半部２９と、第２プレート２５の前端部２８から前方へ露出する前半部３０とを有する。
【００４３】
支持棒２６ａ，２６ｂでは、前半部３０の先端部分３１（第２プレート２５の前端部２８から前方へ露出する支持棒２６ａ，２６ｂの先端部３１）が第２プレート２５の前端部２８から前方へ向かうにつれて上方へわずかに折り曲げられ、先端部分３１（先端部３１）が上り勾配に傾斜している。さらに、前半部３０の先端部分３１（第２プレート２５の前端部２８から前方へ露出する支持棒２６ａ，２６ｂの先端部３１）が第２プレート２５の前端部２８から前方へ向かうにつれて先細りの扁平に成形されている（図３参照）。
【００４４】
天井では、幅方向へ延びる複数の野縁受け３２が前後方向へ略等間隔離間して並び、前後方向へ延びる複数の野縁３３が複数の野縁受け３２の直下に位置した状態で幅方向へ略等間隔離間して並んでいる。野縁受け３２と野縁３３とは、それらが直角に交差する格子状に組み上げられている。野縁受け３２は、図４に示すように、断面コ字状に成型された溝形鋼であり、溝開口３４が横向きになるように配置されている。
【００４５】
野縁受け３２は、垂直に配置されるウェブ３５と、水平に配置される下フランジ３６および上フランジ３７とを有し、ウェブ３５と上下フランジ３６，３７とがひとつながりになった一体成形品である。野縁受け３２の寸法は、ＪＩＳ規格に準じ、天井の大きさや重量等の各種条件に応じて所定のそれが選択される。野縁受け３２のウェブ３５の寸法には、１９ｍｍ、２５ｍｍ、３８ｍｍ、４０ｍｍがあり、野縁受け３２のフランジ３６，３７の寸法には、１０ｍｍ、１２ｍｍ、２０ｍｍがある。
【００４６】
野縁３３は、係合リップ付溝形鋼であり、溝開口３８が上向きになるように配置されている。野縁３３は、水平に配置される底壁部３９と、底壁部３９の両側縁から上方へ延びていて垂直に配置される一対の側壁部４０と、側壁部４０の上端に位置する一対の係合リップ４１とを有し、底壁部３９や側壁部４０、係合リップ４１がひとつながりになった一体成形品である。係合リップ４１は、側壁部４０の上端から水平方向内方に折り曲げられた後、底壁部３９に向かって垂直方向下方に折り曲げられ、鍵状に成形されている。野縁３３の寸法は、ＪＩＳ規格に準じ、天井の大きさや重量等の各種条件に応じて所定のそれが選択される。野縁３３の底壁部３９の寸法には、２５ｍｍ、５０ｍｍがあり、野縁３３の側壁部４０の寸法には、１９ｍｍ、２５ｍｍがある。
【００４７】
野縁受け３２と野縁３３とは、それらの交差箇所４２（連結箇所４２）において連結クリップ４３ａを利用して連結されている。連結クリップ４３ａは、ＪＩＳ規格に準じ、規格化されてその大きさ（幅寸法や縦寸法）が統一されており、一般に普及しているそれが使用されている。連結クリップ４３ａは、野縁受け３２のウェブ３５に並行（当接）する接続部４４と、接続部４４の上方に位置して野縁受け３２の上フランジ３８に係合する一対の第１フック４５と、接続部４４の下方に位置して野縁３３の係合リップ４１に係合する一対の第２フック４６とを有する。連結クリップ４３ａの接続部４４の幅寸法は５０ｍｍである。
【００４８】
野縁受け３２と野縁３３とは、野縁受け３２に対して野縁３３を直角に交差させた状態で野縁３３が野縁受け３２の直下に配置され、野縁受け３２の下フランジ３６と野縁３３の係合リップ４１とが当接する交差箇所４２（連結箇所４２）に配置された連結クリップ４３ａによって連結されている。連結クリップ４３ａでは、一対の第１フック４５が折り曲げられて第１フック４５が野縁受け３２の上フランジ３７に係合し、一対の第２フック４６が野縁３３の係合リップ４１に係合している。連結クリップ４３ａによって野縁受け３２に連結された野縁３３の下に天井板（図示せず）が設置されている。連結解除具１０Ａでは、案内棒１３と梃子ヘッド１４の第１プレート２４との間に野縁３３を出入可能に進入させる第１スペース４７が画成され、それら支持棒２６ａ，２６ｂの間に野縁受け３２と野縁３３との連結箇所４２が位置する第２スペース４８が画成されている。
【００４９】
図５は、図１の連結解除具１０Ａによる野縁受け３２と野縁３３との連結解除の手順の一例を示す説明図であり、図６は、図５から続く連結解除の手順の一例を示す説明図である。連結解除具１０Ａを利用して野縁受け３２と野縁３３との連結を解除する手順は、以下のとおりである。天井の補修工事や解体工事を行う作業者は、第２円柱ロッド１９ｂの先端部に取り付けられたストッパー２０のロックを解除し、第１円柱ロッド１９ａを第２円柱ロッド１９ｂの内部に収容し、または、第１円柱ロッド１９ａを第２円柱ロッド１９ｂから露出させ、天井の高さ寸法に合わせて円柱ロッド１５の伸縮部１８の長さ寸法を調節した後、ストッパー２０をロック状態にして円柱ロッド１５の伸縮部１８の長さ寸法を固定する。
【００５０】
次に、作業者は、天井から天井板を取り外し、野縁受け３２と野縁３３とを露出させ、床に起立した状態で円柱ロッド１５の柄部１７を手で把持し、角柱ロッド１６の先端部１２に位置する梃子ヘッド１４を天井に向かって持ち上げて梃子ヘッド１４を野縁受け３２と野縁３３との連結箇所４２（交差箇所４２）に移動させる。梃子ヘッド１４を連結箇所４２に移動させた後、案内棒１３と梃子ヘッド１４の第１プレート２４との間の第１スペース４７に野縁３３を進入させ、連結クリップ４３ａの接続部４４の側から連結箇所４２（連結クリップ４３ａの接続部４４）をそれら支持棒２６ａ，２６ｂの間の第２スペース４８に位置させる。
【００５１】
円柱ロッド１５の伸縮部１８（操作ロッド１１）がその上下方向の長さ寸法を調節可能であるから、天井の高低にかかわらず、円柱ロッド１５の伸縮部１８（操作ロッド１１）の上下方向の長さ寸法を長くすることで、高い天井の野縁受け３２と野縁３３との連結箇所４２に梃子ヘッド１４を位置させることができ、円柱ロッド１５の伸縮部１８（操作ロッド１１）の上下方向の長さ寸法を短くすることで、低い天井の野縁受け３２と野縁３３との連結箇所４２に梃子ヘッド１４を位置させることができる。
【００５２】
延出部２２の先端部分２３（案内棒１３の先端部２３）が角柱ロッド１６（操作ロッド１１）から幅方向側方へ向かうにつれて上り勾配に傾斜しているから、延出部２２の先端部分２３（案内棒１３の先端部２３）が第１スペース４７に野縁３３を進入させるときの目印となり、野縁３３を第１スペース４７に容易に進入させることができ、梃子ヘッド１４を野縁受け３２と野縁３３との連結箇所４２に容易に位置させることができるとともに、第１スペース４７に野縁３３を進入させたときに、延出部２２の先端部分２３（案内棒１３の先端部２３）によって野縁３３を第１スペース４７から外れ難くすることができる。
【００５３】
第１スペース４７に野縁３３を進入させるとともに、第２スペース４８に連結箇所４２（連結クリップ４３ａの接続部４４）を位置させると、図５に示すように、それら支持棒２６ａ，２６ｂが連結クリップ４３ａの接続部４４を幅方向へ跨ぎ、第１プレート２４の下端部２７が野縁３３の係合リップ４１に当接し、第２プレート２５の前端部２８が連結クリップ４３ａの接続部４４に当接し、支持棒２６ａ，２６ｂの第２プレート２５の前端部２８から前方へ延出する先端部分３１（先端部３１）が野縁受け３２の下フランジ３６の直下に位置する。操作ロッド１１が野縁３３の後方へ傾斜した状態になり、円柱ロッド１５の柄部１７（操作ロッド１１の下端部１７）が野縁受け３２の斜め下方であって野縁受け３２の後方に位置する。なお、円柱ロッド１５の柄部１７（操作ロッド１１の下端部１７）が力点になり、第１プレート２４の下端部２７が支点（旋回中心）になり、支持棒２６ａ，２６ｂの先端部分３１（先端部３１）が作用点になる。
【００５４】
それら支持棒２６ａ，２６ｂの先端部分３１（先端部３１）が第２プレート２５の前端部２８から前方へ向かうにつれて先細りの扁平に成形されているから、野縁３３を第１スペース４７に進入させ、連結クリップ４３ａの接続部４４を第２スペース４８に位置させたときに、支持棒２６ａ，２６ｂの先端部分３１（先端部３１）が野縁受け３２の下フランジ３６に衝突することはなく、支持棒２６ａ，２６ｂの先端部分３１（先端部３１）を野縁受け３２の下フランジ３６の直下に確実に位置させることができる。
【００５５】
図５の状態で円柱ロッド１５の柄部１７（操作ロッド１１の下端部１７）を野縁受け３２（図５に矢印Ｌ１で示す方向）に向かって旋回させると、図６に示すように、支持棒２６ａ，２６ｂの先端部分３１（先端部３１）が野縁３３の上方（図６に矢印Ｌ２で示す方向）に向かって旋回し、支持棒２６ａ，２６ｂの先端部分３１（先端部３１）が野縁受け３２の下フランジ３６に当接しつつ野縁受け３２を上方へ持ち上げて野縁受け３２と野縁３３とを上下方向へ強制的に離間させる（引き離す）。
【００５６】
野縁受け３２と野縁３３とが上下方向へわずかに離間することで、連結クリップ４３ａの第１フック４５が折り返されて第１フック４５が野縁受け３２の上フランジ３７から外れ、野縁受け３２の上フランジ３７と連結クリップ４３ａの第１フック４５との係合が解除され、野縁受け３２と野縁３３との連結が解除される。なお、図６では、野縁受け３２の上フランジ３７と連結クリップ４３ａの第１フック４５との係合が解除される場合を図示しているが、野縁受け３２と野縁３３とが上下方向へわずかに離間することで、野縁３３の係合リップ４１から連結クリップ４３ａの第２フック４６が抜け出し、野縁３３の係合リップ４１と連結クリップ４３ａの第２フック４６との係合が解除される場合がある。
【００５７】
それら支持棒２６ａ，２６ｂの先端部分３１（先端部３１）が第２プレート２５の前端部２８から前方へ向かうにつれて上り勾配に傾斜しているから、支持棒２６ａ，２６ｂの上り勾配に傾斜する先端部分３１（先端部３１）が野縁受け３２の下フランジ３６の直下に位置し、円柱ロッド１５の柄部１７（操作ロッド１１の下端部１７）を野縁受け３２に向かってわずかに旋回させるだけで、支持棒２６ａ，２６ｂの先端部分３１（先端部３１）が野縁受け３２を上方へ確実に持ち上げるから、野縁受け３２の上フランジ３７と連結クリップ４３ａの第１フック４５との係合を容易に解除することができ、野縁受け３２と野縁３３との連結を容易に解除することができる。
【００５８】
なお、実際には複数の連結クリップ４３ａによって野縁受け３２と野縁３３とが連結されているが、図５，６（図７，８を含む）に基づいて説明した手順を繰り返すことによって野縁受け３２の上フランジ３７と全ての連結クリップ４３ａの第１フック４５との係合または野縁３３の係合リップ４１と全ての連結クリップ４３ａの第２フック４６との係合を解除することができ、全ての連結箇所４２における野縁受け３２と野縁３３との連結を解除することができる。
【００５９】
図７は、図１の連結解除具１０Ａによる野縁受け３２と野縁３３との連結解除の手順の他の一例を示す説明図であり、図８は、図７から続く連結解除の手順の他の一例を示す説明図である。作業者は、床に起立した状態で円柱ロッド１５の柄部１７を手で把持し、角柱ロッド１６の先端部１２に位置する梃子ヘッド１４を天井に向かって持ち上げて梃子ヘッド１４を野縁受け３２と野縁３３との連結箇所４２（交差箇所）に移動させ、案内棒１３と梃子ヘッド１４の第１プレート２４との間の第１スペース４７に野縁３３を進入させ、野縁受け３２のフランジ３６，３７の側から連結箇所４２をそれら支持棒２６ａ，２６ｂの間の第２スペース４８に位置させる。
【００６０】
第１スペース４７に野縁３３を進入させるとともに、第２スペース４８に連結箇所４２を位置させると、図７に示すように、それら支持棒２６ａ，２６ｂが野縁３３の係合リップ４１を幅方向へ跨ぎ、第１プレート２４の下端部２７が野縁３３の係合リップ４１に当接し、第２プレート２５の前端部２８が野縁受け３２の下フランジ３６に当接し、支持棒２６ａ，２６ｂの第２プレート２５の前端部２８から前方へ延出する先端部分３１（先端部３１）が野縁受け３２の下フランジ３６の直下に位置する。操作ロッド１１が野縁３３の後方へ傾斜した状態になり、円柱ロッド１５の柄部１７（操作ロッド１１の下端部１７）が野縁受け３２の斜め下方であって野縁受け３２の前方に位置する。
【００６１】
図７の状態で円柱ロッド１５の柄部１７（操作ロッド１１の下端部１７）を野縁受け３２（図７に矢印Ｌ１で示す方向）に向かって旋回させると、図８に示すように、支持棒２６ａ，２６ｂの先端部分３１（先端部３１）が野縁３３の上方（図８に矢印Ｌ２で示す方向）に向かって旋回し、支持棒２６ａ，２６ｂの先端部分３１（先端部３１）が野縁受け３２の下フランジ３６に当接しつつ野縁受け３２を上方へ持ち上げて野縁受け３２と野縁３３とを上下方向へ強制的に離間させる（引き離す）。
【００６２】
野縁受け３２と野縁３３とが上下方向へわずかに離間することで、連結クリップ４３ａの第１フック４５が折り返されて第１フック４５が野縁受け３２の上フランジ３７から外れ、野縁受け３２の上フランジ３７と連結クリップ４３ａの第１フック４５との係合が解除され、野縁受け３２と野縁３３との連結が解除される。なお、図８では、野縁受け３２の上フランジ３７と連結クリップ４３ａの第１フック４５との係合が解除される場合を図示しているが、野縁受け３２と野縁３３とが上下方向へわずかに離間することで、野縁３３の係合リップ４１から連結クリップ４３ａの第２フック４６が抜け出し、野縁３３の係合リップ４１と連結クリップ４３ａの第２フック４６との係合が解除される場合がある。
【００６３】
連結解除具１０Ａは、床に位置する作業者が図５や図７の状態で円柱ロッド１５の柄部１７（操作ロッド１１の下端部１７）を野縁受け３２に向かって旋回させることで、支持棒２６ａ，２６ｂの先端部分３１（先端部３１）が野縁受け３２を上方へ持ち上げ、それによって野縁受け３２と野縁３３とが上下方向へ離間し、野縁受け３２の上フランジ３７と連結クリップ４３ａの第１フック４５との係合が解除され、または、野縁３３の係合リップ４１と連結クリップ４３ａの第２フック４６との係合が解除されるから、脚立を使用することなく作業者が床に位置した状態で手が届かない天井の野縁受け３２と野縁３３との連結を容易に解除することができる。
【００６４】
連結解除具１０Ａは、野縁受け３２と野縁３３との連結を解除する際に作業者が脚立の移動や脚立への乗り降りを繰り返す必要はなく、床に位置する作業者が梃子の原理を利用してわずかな力で野縁受け３２の上フランジ３７と連結クリップ４３ａの第１フック４５との係合や野縁３３の係合リップ４１と連結クリップ４３ａの第２フック４６との係合を解除することができるとともに、野縁受け３２と野縁３３との連結を解除することができ、野縁受け３２と野縁３３との連結の解除に労力を必要とせず、手間と時間とを要せずに野縁受け３２と野縁３３との連結を短時間で効率よく解除することができる。
【００６５】
連結解除具１０Ａは、野縁受け３２と野縁３３とを上下方向へわずかに離間させることで、野縁受け３２の上フランジ３７と連結クリップ４３ａの第１フック４４との係合や野縁３３の係合リップ４１と連結クリップ４３ａの第２フック４６との係合が解除され、野縁受け３２と野縁３３との連結が解除されるから、野縁受け３２や野縁３３を不規則に変形させることなく野縁受け３２と野縁３３との連結を解除することができ、連結が解除された野縁受け３２や野縁３３が原形を留め、連結が解除された野縁受け３２や野縁３３の再利用を可能にすることができる。連結解除具１０Ａは、連結が解除された野縁受け３２や野縁３３が原形を留めるから、野縁受け３２や野縁３３を廃棄処分する際にそれらが嵩張ることはなく、それらを容易に梱包することができ、手間と時間とを要せずに野縁受け３２や野縁３３の廃棄処理を可能にすることができる。
【００６６】
連結解除具１０Ａは、円柱ロッド１５の柄部１７（操作ロッド１１の下端部１７）を野縁受け３２に向かって旋回させたときに、野縁３３の係合リップ４１に当接する第１プレート２４の下端部２７が旋回するとともに、連結クリップ４３ａの接続部４４や野縁受け３２の下フランジ３６に当接する第２プレート２５の前端部２８が旋回するが、第１プレート２４の下端部２７が下方へ向かって凸となるように弧を描き、第２プレート２５の前端部２８が前方へ向かって凸となるように弧を描いているから、旋回する第１プレート２４の下端部２７が野縁３３の係合リップ４１を傷つけることはなく、旋回する第２プレート２５の前端部２８が野縁受け３２のウェブ３５や下フランジ３６を傷つけることはなく、連結が解除された野縁受け３２や野縁３３が原形を留め、連結が解除された野縁受け３２や野縁３３の再利用を可能にすることができる。
【００６７】
図９は、他の一例として示す操作ロッド１１の上端部１２の拡大斜視図であり、図１０は、図９の連結解除具１０ＢのＩ−Ｉ線矢視断面図である。図１１は、他の一例として示す連結クリップ４３ｂによって連結された野縁受け３２と野縁３３との連結箇所４２の拡大斜視図である。図９では、上下方向を矢印Ａで示し、幅方向を矢印Ｂで示すとともに、前後方向を矢印Ｃで示す。図９では、円柱ロッド１５の図示を省略している。
【００６８】
連結解除具１０Ｂは、連結解除具１０Ａと同様に、天井の補修工事や解体工事を行う場合に作業者（人）の手が届かない位置に存在する野縁受け３２と野縁３３との連結の解除に好適に使用される。連結解除具１０Ｂは、野縁受け３２と野縁３３とを連結する連結クリップ４３ａの野縁受け３２や野縁３３に対する係合を解除し、野縁受け３２と野縁３３との連結を解除する。
【００６９】
連結解除具１０Ｂは、上下方向へ延びる長尺の操作ロッド１１と、操作ロッド１１の上端部１２から上下方向と交差する幅方向へ延出する案内棒１３（案内軸）と、案内棒１３から上方へ所定寸法離間して操作ロッド１１の上端部１２から幅方向へ延出する梃子ヘッド１４とから形成されている。操作ロッド１１や案内棒１３は図１の連結解除具１０Ａのそれらと同一であるから、図１や図２と同一の符号を付すとともに、図１の連結解除具１０Ａの説明を援用することで、連結解除具１０Ｂの操作ロッド１１や案内棒１３の説明は省略する。
【００７０】
梃子ヘッド１４は、角柱ロッド１６（操作ロッド１１）に並行して上下方向へ延びる所定厚みの第１プレート２４と、第１プレート２４に直交して前後方向へ延びる所定厚みの第２プレート２５と、第２プレートに着脱可能に取り付けられる一対の支持棒２６ａ，２６ｂ（支持軸）とから形成されている。第１プレート２４および第２プレート２５は、第２プレート２５に前後方向へ延びる４条（４本）の案内凹部４９ａ〜４９ｄ（案内溝）が形成されている点を除いて図１の連結解除具１０Ａのプレート２４，２５と同一である。
【００７１】
図１の連結解除具１０Ａのプレート２４，２５と同一の符号を連結解除具１０Ｂのプレート２４，２５に付すことでプレート２４，２５における案内凹部４９ａ〜４９ｄ以外の説明は省略する。案内凹部４９ａ〜４９ｄは、第１プレート２４の側に位置する第２プレート２５の下面５０に形成され、第２プレート２５を前後方向へ縦断し、幅方向へ所定寸法離間して並んでいる。それら案内凹部４９ａ〜４９ｄは、第２プレート２５の下面５０から厚み方向へ凹み、下面５０から上方へ向かうにつれて末広がりに成形されている。案内凹部４９ａ〜４９ｄは、角柱ロッド１６の側から幅方向側方に向かって案内凹部４９ａ→案内凹部４９ｂ→案内凹部４９ｃ→案内凹部４９ｄの順で並んでいる。
【００７２】
それら支持棒２６ａ，２６ｂは、支持棒２６ａ，２６ｂの後半部２９が第２プレート２５に溶接固定されておらず、支持棒２６ａ，２６ｂの後半部２９に係入凸部５１が形成されている点を除いて図１の連結解除具１０Ａの支持棒２６ａ，２６ｂと同一である。図１の連結解除具１０Ａの支持棒２６ａ，２６ｂと同一の符号を連結解除具１０Ｂの支持棒２６ａ，２６ｂに付すことで支持棒２６ａ，２６ｂにおける係入凸部５１以外の説明は省略する。
【００７３】
係入凸部５１は、支持棒２６ａ，２６ｂの後半部２９における周面に形成され、支持棒２６ａ，２６ｂの周面から径方向外方へ向かって凸となり、支持棒２６ａ，２６ｂの周面から径方向外方へ向かって末広がりに成形されている。係入凸部５１は、第２プレート２５に形成された案内凹部４９ａ〜４９ｄに係脱可能に係入する。図９では、支持棒２６ａの係入凸部５１が第２プレート２５の下面５０に形成された案内凹部４９ａに係入し、支持棒２６ｂの係入凸部５１が第２プレート２５の下面５０に形成された案内凹部４９ｄに係入している。
【００７４】
連結解除具１０Ｂでは、第２プレート２５の案内凹部４９ａ〜４９ｄのいずれかに支持棒２６ａの係入凸部５１を係入させ、案内凹部４９ａ〜４９ｄのいずれかに支持棒２６ｂの係入凸部５１を係入させることで、第２プレート２５に対するそれら支持棒２６ａ，２６ｂの取付位置を変更することができ、第２プレート２５に対するそれら支持棒２６ａ，２６ｂの取付位置を変更することで、それら支持棒２６ａ，２６ｂの幅方向の離間寸法を変更することができる。
【００７５】
野縁受け３２と野縁３３とは、図１０に示すように、野縁受け３２の下フランジ３６と野縁３３の係合リップ４１とが当接する交差箇所４２（連結箇所４２）に配置された連結クリップ４３ｂによって連結されている。連結クリップ４３ｂは、その接続部４４の幅寸法が連結クリップ４３ａの接続部４４のそれよりも小さい。連結クリップ４３ｂの接続部４４の幅寸法は２５ｍｍである。
【００７６】
連結クリップ４３ｂでは、一対の第１フック４５が折り曲げられて第１フック４５が野縁受け３２の上フランジ３７に係合し、一対の第２フック４６が野縁３３の係合リップ４１に係合している。連結解除具１０Ｂでは、案内棒１３と梃子ヘッド１４の第１プレート２４との間に野縁３３を出入可能に進入させる第１スペース４７が画成され、それら支持棒２６ａ，２６ｂの間に野縁受け３２と野縁３３との連結箇所４２が位置する第２スペース４８が画成されている。
【００７７】
図１２は、支持棒２６ａ，２６ｂの取付位置を変更した連結解除具１０Ｂの上端部１２の拡大斜視図であり、図１３は、図１２の連結解除具１０Ｂによる野縁受け３２と野縁３３との連結解除の手順の一例を示す説明図である。図１４は、図１３から続く連結解除の手順の一例を示す説明図である。図１２では、円柱ロッド１５の図示を省略している。図１２の連結解除具１０Ｂを利用して野縁受け３２と野縁３３との連結を解除する手順は、以下のとおりである。
【００７８】
作業者は、野縁３３の幅寸法（連結クリップ４３ｂの接続部４４の幅寸法）に第２スペース４８の幅寸法をあわせるため、支持棒２６ａ，２６ｂの係入凸部５１が第２プレート２５の下面５０に形成された案内凹部４９ａ，４９ｄに係入した図９の状態から、支持棒２６ａ，２６ｂを前方へスライドさせて支持棒２６ａ，２６ｂを案内凹部４９ａ，４９ｄから抜き取る。抜き取った支持棒２６ａの係入凸部５１を案内凹部４９ｂにおいて後方へスライドさせて支持棒２６ａを案内凹部４９ｂに設置するとともに、抜き取った支持棒２６ｂの係入凸部５１を案内凹部４９ｃにおいて後方へスライドさせて支持棒２６ｂを案内凹部４９ｃに設置する。
【００７９】
図１２の連結解除具１０Ｂは、図９の連結解除具１０Ｂと比較して支持棒２６ａ，２６ｂの幅方向の離間寸法が狭く（小さく）なり、第２スペース４８の幅寸法が狭く（小さく）なり、幅寸法が小さい野縁３２用（幅寸法が小さい連結クリップ４３ｂ用）になっている。なお、図９の連結解除具１０Ｂは、図１２の連結解除具１０Ｂと比較して支持棒２６ａ，２６ｂの幅方向の離間寸法が広く（大きく）なり、第２スペース４８の幅寸法が広く（大きく）なり、幅寸法が大きい野縁３２用（幅寸法が大きい連結クリップ４３ａ用）である。
【００８０】
作業者は、第２プレート２５に対する支持棒２６ａ，２６ｂの取付位置を変えた後、第２円柱ロッド１９ｂの先端部に取り付けられたストッパー２０のロックを解除し、第１円柱ロッド１９ａを第２円柱ロッド１９ｂの内部に収容し、または、第１円柱ロッド１９ａを第２円柱ロッド１９ｂから露出させ、天井の高さ寸法に合わせて円柱ロッド１５の伸縮部１８の長さ寸法を調節した後、ストッパー２０をロック状態にして円柱ロッド１５の伸縮部１８の長さ寸法を固定する。
【００８１】
次に、作業者が床に起立した状態で円柱ロッド１５の柄部１７を手で把持し、角柱ロッド１６の先端部１２に位置する梃子ヘッド１４を天井に向かって持ち上げて梃子ヘッド１４を野縁受け３２と野縁３３との連結箇所４２（交差箇所）に移動させる。梃子ヘッド１４を連結箇所４２に移動させた後、案内棒１３と梃子ヘッド１４の第１プレート２４との間の第１スペース４７に野縁３３を進入させ、連結クリップ４３ａの接続部４４の側から連結箇所４２（連結クリップ４３ｂの接続部４４）をそれら支持棒２６ａ，２６ｂの間の第２スペース４８に位置させる。
【００８２】
第１スペース４７に野縁３３を進入させるとともに、第２スペース４８に連結箇所４２（連結クリップ４３ｂの接続部４４）を位置させると、図１３に示すように、それら支持棒２６ａ，２６ｂが連結クリップ４３ｂの接続部４４を幅方向へ跨ぎ、第１プレート２４の下端部２７が野縁３３の係合リップ４１に当接し、第２プレート２５の前端部２８が連結クリップ４３ｂの接続部４４に当接し、支持棒２６ａ，２６ｂの第２プレート２５の前端部２８から前方へ延出する先端部分３１（先端部３１）が野縁受け３２の下フランジ３６の直下に位置する。操作ロッド１１が野縁３３の後方へ傾斜した状態になり、円柱ロッド１５の柄部１７（操作ロッド１１の下端部１７）が野縁受け３２の斜め下方であって野縁受け３２の後方に位置する。なお、円柱ロッド１５の柄部１７（操作ロッド１１の下端部１７）が力点になり、第１プレート２４の下端部２７が支点（旋回中心）になり、支持棒２６ａ，２６ｂの先端部分３１（先端部３１）が作用点になる。
【００８３】
図１３の状態で円柱ロッド１５の柄部１７（操作ロッド１１の下端部１７）を野縁受け３２（図１３に矢印Ｌ１で示す方向）に向かって旋回させると、図１４に示すように、支持棒２６ａ，２６ｂの先端部分３１（先端部３１）が野縁３３の上方（図１４に矢印Ｌ２で示す方向）に向かって旋回し、支持棒２６ａ，２６ｂの先端部分３１（先端部３１）が野縁受け３２の下フランジ３６に当接しつつ野縁受け３２を上方へ持ち上げて野縁受け３２と野縁３３とを上下方向へ強制的に離間させる（引き離す）。
【００８４】
野縁受け３２と野縁３３とが上下方向へわずかに離間することで、連結クリップ４３ｂの第１フック４５が折り返されて第１フック４５が野縁受け３２の上フランジ３７から外れ、野縁受け３２の上フランジ３７と連結クリップ４３ｂの第１フック４５との係合が解除され、野縁受け３２と野縁３３との連結が解除される。  なお、図１４では、野縁受け３２の上フランジ３７と連結クリップ４３ｂの第１フック４５との係合が解除される場合を図示しているが、野縁受け３２と野縁３３とが上下方向へわずかに離間することで、野縁３３の係合リップ４１から連結クリップ４３ｂの第２フック４６が抜け出し、野縁３３の係合リップ４１と連結クリップ４３ｂの第２フック４６との係合が解除される場合がある。
【００８５】
図１５は、図１２の連結解除具１０Ｂによる野縁受け３２と野縁３３との連結解除の手順の他の一例を示す説明図であり、図１６は、図１５から続く連結解除の手順の他の一例を示す説明図である。作業者は、床に起立した状態で円柱ロッド１５の柄部１７を手で把持し、角柱ロッド１６の先端部１２に位置する梃子ヘッド１４を天井に向かって持ち上げて梃子ヘッド１４を野縁受け３２と野縁３３との連結箇所４２（交差箇所）に移動させ、案内棒１３と梃子ヘッド１４の第１プレート２４との間の第１スペース４７に野縁３３を進入させ、野縁受け３２のフランジ３６，３７の側から連結箇所４２をそれら支持棒２６ａ，２６ｂの間の第２スペース４８に位置させる。
【００８６】
第１スペース４７に野縁３３を進入させるとともに、第２スペース４８に連結箇所４２を位置させると、図１５に示すように、それら支持棒２６ａ，２６ｂが野縁３３の係合リップ４１を幅方向へ跨ぎ、第１プレート２４の下端部２７が野縁３３の係合リップ４１に当接し、第２プレート２５の前端部２８が野縁受け３２の下フランジ３６に当接し、支持棒２６ａ，２６ｂの第２プレート２５の前端部２８から前方へ延出する先端部分３１（先端部３１）が野縁受け３２の下フランジ３６の直下に位置する。操作ロッド１１が野縁３３の後方へ傾斜した状態になり、円柱ロッド１５の柄部１７（操作ロッド１１の下端部１７）が野縁受け３２の斜め下方であって野縁受け３２の前方に位置する。
【００８７】
図１５の状態で円柱ロッド１５の柄部１７（操作ロッド１１の下端部１７）を野縁受け３２（図１５に矢印Ｌ１で示す方向）に向かって旋回させると、図１６に示すように、支持棒２６ａ，２６ｂの先端部分３１（先端部３１）が野縁３３の上方（図１６に矢印Ｌ２で示す方向）に向かって旋回し、支持棒２６ａ，２６ｂの先端部分３１（先端部３１）が野縁受け３２の下フランジ３６に当接しつつ野縁受け３２を上方へ持ち上げて野縁受け３２と野縁３３とを上下方向へ強制的に離間させる（引き離す）。
【００８８】
野縁受け３２と野縁３３とが上下方向へわずかに離間することで、連結クリップ４３ｂの第１フック４５が折り返されて第１フック４５が野縁受け３２の上フランジ３７から外れ、野縁受け３２の上フランジ３７と連結クリップ４３ｂの第１フック４５との係合が解除され、野縁受け３２と野縁３３との連結が解除される。なお、図１６では、野縁受け３２の上フランジ３７と連結クリップ４３ｂの第１フック４５との係合が解除される場合を図示しているが、野縁受け３２と野縁３３とが上下方向へわずかに離間することで、野縁３３の係合リップ４１から連結クリップ４３ｂの第２フック４６が抜け出し、野縁３３の係合リップ４１と連結クリップ４３ｂの第２フック４６との係合が解除される場合がある。
【００８９】
図１７は、他の一例として示す操作ロッド１１の上端部１２の拡大斜視図であり、図１８は、図１７の連結解除具１０ＣのII−II線矢視断面図である。図１９は、支持棒２６ａ，２６ｂの取付位置を変更した操作ロッド１１の上端部１２の拡大斜視図である。図１７では、上下方向を矢印Ａで示し、幅方向を矢印Ｂで示すとともに、前後方向を矢印Ｃで示す。図１７では、円柱ロッド１５の図示を省略している。
【００９０】
連結解除具１０Ｃは、連結解除具１０Ａ，１０Ｂと同様に、天井の補修工事や解体工事を行う場合に作業者（人）の手が届かない位置に存在する野縁受け３２と野縁３３との連結の解除に好適に使用される。連結解除具１０Ｃは、野縁受け３２と野縁３３とを連結する連結クリップ４３ａや連結クリップ４３ｂの野縁受け３２に対する係合を解除し、野縁受け３２と野縁３３との連結を解除する。
【００９１】
連結解除具１０Ｃは、上下方向へ延びる長尺の操作ロッド１１と、操作ロッド１１の上端部１２から上下方向と交差する幅方向へ延出する案内棒１３（案内軸）と、案内棒１３から上方へ所定寸法離間して操作ロッド１１の上端部１２から幅方向へ延出する梃子ヘッド１４とから形成されている。操作ロッド１１や案内棒１３は図１の連結解除具１０Ａのそれらと同一であるから、図１や図２と同一の符号を付すとともに、図１の連結解除具１０Ａの説明を援用することで、連結解除具１０Ｃの操作ロッド１１や案内棒１３の説明は省略する。
【００９２】
梃子ヘッド１４は、角柱ロッド１６（操作ロッド１１）に並行して上下方向へ延びる所定厚みの第１プレート２４と、第１プレート２４に直交して前後方向へ延びる所定厚みの第２プレート２５と、第２プレートに着脱可能に取り付けられる一対の支持棒２６ａ，２６ｂ（支持軸）とから形成されている。第１プレート２４および第２プレート２５は、第２プレート２５に前後方向へ延びる４条（４本）の案内凸部５２ａ〜５２ｄ（案内条）が形成されている点を除いて図１の連結解除具１０Ａのプレート２４，２５と同一である。
【００９３】
図１の連結解除具１０Ａのプレート２４，２５と同一の符号を連結解除具１０Ｃのプレート２４，２５に付すことでプレート２４，２５における案内凸部５２ａ〜５２ｄ以外の説明は省略する。案内凸部５２ａ〜５２ｄは、第１プレート２４の側に位置する第２プレート２５の下面５０に形成され、第２プレート２５を前後方向へ縦断し、幅方向へ所定寸法離間して並んでいる。それら案内凸部５２ａ〜５２ｄは、第２プレート２５の下面５０から下方へ凸となり、下面５０から下方へ向かうにつれて末広がりに成形されている。案内凸部５２ａ〜５２ｄは、角柱ロッド１６の側から幅方向側方に向かって案内凸部５２ａ→案内凸部５２ｂ→案内凸部５２ｃ→案内凸部５２ｄの順で並んでいる。
【００９４】
それら支持棒２６ａ，２６ｂは、支持棒２６ａ，２６ｂの後半部２９が第２プレート２５に溶接固定されておらず、支持棒２６ａ，２６ｂの後半部２９に係入凹部５３が形成されている点を除いて図１の連結解除具１０Ａの支持棒２６ａ，２６ｂと同一である。図１の連結解除具１０Ａの支持棒２６ａ，２６ｂと同一の符号を連結解除具１０Ｃの支持棒２６ａ，２６ｂに付すことで支持棒２６ａ，２６ｂにおける係入凹部５３以外の説明は省略する。
【００９５】
係入凹部５３は、支持棒２６ａ，２６ｂの後半部２９における周面に形成され、支持棒２６ａ，２６ｂの周面から径方向内方へ向かって凹み、支持棒２６ａ，２６ｂの周面から径方向内方へ向かって末広がりに成形されている。係入凹部５３は、第２プレート２５に形成された案内凸部５２ａ〜５２ｄに係脱可能に係入する。図１７では、支持棒２６ａの係入凹部５３が第２プレート２５の下面５０に形成された案内凸部５２ａに係入し、支持棒２６ｂの係入凹部５３が第２プレート２５の下面５０に形成された案内凸部５２ｄに係入している。
【００９６】
連結解除具１０Ｃでは、第２プレート２５の案内凸部５２ａ〜５２ｄのいずれかに支持棒２６ａの係入凹部５３を係入させ、案内凸部５２ａ〜５２ｄのいずれかに支持棒２６ｂの係入凹部５３を係入させることで、第２プレート２５に対するそれら支持棒２６ａ，２６ｂの取付位置を変更することができ、第２プレート２５に対するそれら支持棒２６ａ，２６ｂの取付位置を変更することで、それら支持棒２６ａ，２６ｂの幅方向の離間寸法を変更することができる。
【００９７】
図１７，１９の連結解除具１０Ｃを利用して野縁受け３２と野縁３３との連結を解除する手順は、図９，１２の連結解除具１０Ｂを利用した野縁受け３２と野縁３３との連結解除のそれと同一であるから、図１３〜図１６の説明を援用することで、その説明は省略する。なお、連結クリップ４３ａによって連結された野縁受け３２と野縁３３との連結の解除には、支持棒２６ａ，２６ｂの係入凹部５３が第２プレート２５の下面５０に形成された案内凸部５２ａ，５２ｄに係入した図１７の状態の連結解除具１０Ｃが使用される。連結クリップ４３ｂによって連結された野縁受け３２と野縁３３との連結の解除には、支持棒２６ａ，２６ｂの係入凹部５３が第２プレート２５の下面５０に形成された案内凸部５２ｂ，５２ｃに係入した図１９の状態の連結解除具１０Ｃが使用される。
【００９８】
図９，１１の連結解除具１０Ｂや図１７，１９の連結解除具１０Ｃは、図１の連結解除具１０Ａが有する効果に加え、以下の効果を有する。連結解除具１０Ｂや連結解除具１０Ｃは、幅寸法が大きい規格化された野縁受け３２や野縁３３、連結クリップ３２ａと幅寸法が小さい規格化された野縁受け３２や野縁３３、連結クリップ３２ｂとが存在するが、それら支持棒２６ａ，２６ｂが第２プレート２５に着脱可能に取り付けられ、第２プレート２５に対するそれら支持棒２６ａ，２６ｂの取付位置を変更することでそれら支持棒２６ａ，２６ｂの幅方向の離間寸法を変更可能であるから、第２プレート２５に対するそれら支持棒２６ａ，２６ｂの取付位置を変更してそれら支持棒２６ａ，２６ｂの幅方向の離間寸法を大きくすることで、野縁受け３２と幅寸法の大きな野縁３３との連結箇所４２を第２スペース４８に位置させることができ、第２プレート２５に対するそれら支持棒２６ａ，２６ｂの取付位置を変更してそれら支持棒２６ａ，２６ｂの幅方向の離間寸法を小さくすることで、野縁受け３２と幅寸法の小さな野縁３３との連結箇所４２を第２スペース４８に位置させることができる。
【００９９】
連結解除具１０Ｂや連結解除具１０Ｃは、幅寸法の大きな野縁３３や連結クリップ３２ａに対応することができるとともに、幅寸法の小さな野縁３３や連結クリップ３２ｂに対応することができ、野縁３３や連結クリップ４３ａ，４３ｂの幅寸法の大小にかかわらず、野縁受け３２の上フランジ３７と幅寸法の異なる連結クリップ４３ａ，４３ｂの第１フック４５との係合や野縁３３の係合リップ４１と幅寸法の異なる連結クリップ４３ａ，４３ｂの第２フック４６との係合を解除することができ、作業者が床に位置した状態で手が届かない天井の野縁受け３２と野縁３３との連結を容易に解除することができる。
【０１００】
連結解除具１０Ｂや連結解除具１０Ｃは、第２プレート２５の案内凹部５２ａ〜５２ｄのいずれかに支持棒２６ａ，２６ｂの係入凸部５１を係入させ、または、第２プレート２５の案内凸部４９ａ〜４９ｄのいずれかに支持棒２６ａ，２６ｂの係入凹部を係入させることで、それら支持棒２６ａ，２６ｂが第２プレート２５の適正な位置に正確に取り付けられるから、それら支持棒２６ａ，２６ｂの幅方向の離間寸法が狂うことはなく、幅寸法の大きな野縁３３や連結クリップ４３ａに対応することができるとともに、幅寸法の小さな野縁３３や連結クリップ４３ｂに対応することができ、野縁３３や連結クリップ４３ａ，４３ｂの幅寸法の大小にかかわらず、野縁受け３２の上フランジ３７と幅寸法の異なる連結クリップ４３ａ，４３ｂの第１フック４５との係合や野縁３３の係合リップ４１と幅寸法の異なる連結クリップ４３ａ，４３ｂの第２フック４６との係合を確実に解除することができる。
【符号の説明】
【０１０１】
１０Ａ  連結解除具
１０Ｂ  連結解除具
１０Ｃ  連結解除具
１１    操作ロッド
１２    上端部
１３    案内棒
１４    梃子ヘッド
１５    円柱ロッド
１６    角柱ロッド
１７    柄部
１８    伸縮部
１９ａ  第１円柱ロッド
１９ｂ  第２円柱ロッド
２０    ストッパー
２１    基端部
２２    延出部
２３    先端部分（先端部）
２４    第１プレート
２５    第２プレート
２６ａ，２６ｂ  支持棒
２７    下端部
２８    前端部
２９    後半部
３０    前半部
３１    先端部分（先端部）
３２    野縁受け
３３    野縁
３４    溝開口
３５    ウェブ
３６    下フランジ
３７    上フランジ
３８    溝開口
３９    底壁部
４０    側壁部
４１    係合リップ
４２    連結箇所（交差箇所）
４３ａ，４３ｂ  連結クリップ
４４    接続部
４５    第１フック
４６    第２フック
４７    第１スペース
４８    第１スペース
４９ａ〜４９ｄ  案内凹部
５０    下面
５１    係入凸部
５２ａ〜５２ｄ  案内凸部
５３    係入凹部
【図１】
2017048619.tif 000003
【図２】
2017048619.tif 000004
【図３】
2017048619.tif 000005
【図４】
2017048619.tif 000006
【図５】
2017048619.tif 000007
【図６】
2017048619.tif 000008
【図７】
2017048619.tif 000009
【図８】
2017048619.tif 000010
【図９】
2017048619.tif 000011
【図１０】
2017048619.tif 000012
【図１１】
2017048619.tif 000013
【図１２】
2017048619.tif 000014
【図１３】
2017048619.tif 000015
【図１４】
2017048619.tif 000016
【図１５】
2017048619.tif 000017
【図１６】
2017048619.tif 000018
【図１７】
2017048619.tif 000019
【図１８】
2017048619.tif 000020
【図１９】
2017048619.tif 000021